(57)【要約】      （修正有）【課題】掘削孔から採取した未固結試料を充填したポリ袋を破損から護り、安全に養生サイトまで運搬できる未固結試料の収納ユニットを提供する。【解決手段】掘削孔内から採取したセメントミルク又はソイルセメントの未固結試料Ｍを充填した外径５０ｍｍのポリ袋２を、内径が５０ｍｍよりやや大きな径の円筒体４の開口部に橋渡した棒状のフック５に吊り紐３で吊り下げることにより、円筒体内に収納する。【選択図】図２
0003195860.tif 000002
【実用新案登録請求の範囲】
【請求項１】
掘削孔内から採取したセメントミルク又はソイルセメンの未固結試料を収納するための収納ユニットであって、前記未固結試料を入れた外径５０mmのポリ袋を吊り下げた状態で収納する内径が５０mmよりやや大きな径の円筒体と、前記未固結試料を入れたポリ袋をその上端部で固定して前記円筒体の中空部に吊り下げるための前記円筒体の上方開口部に設置するフックとで構成され、前記フックを前記円筒体の上方開口部に着脱自在に設置したことを特徴とする未固結試料の収納ユニット。
【請求項２】
前記フックが前記円筒体の上方開口部に橋し渡し状態で設置される棒状体であり、前記棒状のフックの両端部近傍を前記円筒体の上方開口部にあって直径方向の対向する位置に形成した凹部にそれぞれ嵌合させることにより、前記フックを前記円筒体の上方開口部に位置決めして設置する構成としたことを特徴とする請求項１記載の未固結試料の収納ユニット。
【請求項３】
前記フックがその両端部にネジ部を備え、前記円筒体の前記凹部に嵌合によって設置した前記フックの雄ねじ部にそれぞれ前記円筒体の外周側から嵌めたナットのナット締めにより、前記フックを前記円筒体の上方開口部に固定する構成としたことを特徴とする請求項２記載の未固結試料の収納ユニット。
【請求項４】
前記請求項１乃至３に記載の未固結試料の収納ユニットを複数本収納し、所望場所まで搬送するための容器であって、上方が開口する有底の容器と、前記容器の底部から所望の高さ位置に水平に設置した支持版と、前記支持版に形成した前記収納ユニットの外径よりやや大きな径の複数の貫通孔とから構成され、前記貫通孔内に前記未固結試料の収納ユニットを上方開口から挿通することで、前記未固結試料の収納ユニットを前記支持版を介して前記容器内に固定状態で収納するように形成したことを特徴とする未固結試料収納ユニットの搬送用容器。
【請求項５】
掘削孔内から採取したセメントミルク又はソイルセメンの未固結試料を充填した外径５０mmのポリ袋の搬送用容器であって、容器本体とその開口部に設置するキャップから構成され、前記容器本体の内部に設置した発泡ポリスチレン製のブロックに前記未固結試料の充填ポリ袋を吊り下げた状態で収納する内径が５０mmよりやや大きな径の円形縦孔を、前記キャップに前記円形縦孔の位置に合わせて同じ内径の円形孔をそれぞれ形成し、前記円形孔の開口部に、前記未固結試料の充填ポリ袋をその上端部で固定して前記容器本体の前記円形縦孔内に吊り下げて収納するためのフックを着脱自在となるように設置したことを特徴とする未固結試料充填ポリ袋の搬送用容器。
【請求項６】
前記フックが前記キャップの円形孔の上方開口部に橋し渡し状態で設置される棒状体であり、前記棒状のフックを前記円形孔の直径方向の対向位置に形成した凹部にそれぞれ嵌合させることにより、前記フックを前記キャップの円径孔の上方開口部に位置決めして設置する構成としたことを特徴とする請求項５記載の未固結試料充填ポリ袋の搬送用容器。
【考案の詳細な説明】
【技術分野】
【０００１】
本考案は、埋込み杭工法において、掘削孔内から採取したセメントミルク又はソイルセメントの未固結試料を収納するための収納ユニット及びこの収納ユニットを養生サイトまで搬送するための容器に関する。
【背景技術】
【０００２】
埋込み杭工法では、地盤に注入される根固め液、杭周固定液などのセメントミルクの配合、注入量および攪拌状態を適切に管理することで、支持力達成上必要な硬化後の強度発現を確保することが求められる。従来、技術的な制約等から、地上プラントで採取したセメントミルクの強度と施工サイクルタイムを管理することで、地中の根固め部のソイルセメントの強度を間接的に確保する方式が採られていることが多かった。しかし、このような間接的手段では、セメントミルクの注入量と、実強度の関係が必ずしも明らかでなく、個々の現場での信頼に足る管理となっていない。
【０００３】
これに対し近年、特に高支持力杭工法におけるセメントミルクの強度管理は、現地盤位置の地盤中に注入されるセメントミルク硬化後のコア試料、または未固結の試料を採取して評価されるようになってきている。ここで、コア採取に耐えうる強度に固化するまでに数日待たなければならず、未固結の試料を採取して所定材齢の強度を推定する方法が推奨される。サンプリング技術が進み、根固め築造後に地中の根固め部から未固結状態のサンプリングを採取して品質管理に利用する事例が報告されるようになってくるなど、地中の根固め部そのものを対象とした品質管理が活発になっている。
【０００４】
施工直後の未固結状態のソイルセメントを採取するには専用の採取器などを用い、採取した試料をポリエチレン袋またはモールドに詰めて供試体を作製する。このようにして作製した供試体に対し、材齢３日ないし材齢７日といった早期材齢にて一軸圧縮試験を実施し、管理材齢（２８日）強度を推定する。強度発現推定に有効な水セメント比と圧縮強さとの関係を求めておくことが提案されている。
【先行技術文献】
【特許文献】
【０００５】
【特許文献１】特開２０１２−１２８５６号公報
【特許文献２】特開２０１４−１１１８７９号公報
【非特許文献】
【０００６】
【非特許文献１】根固め部の未固結試料採取・調査・試験マニュアル
【考案の概要】
【考案が解決しようとする課題】
【０００７】
上記のような未固結試料の採取には適切な採取装置と養生手段に加え、採取した未固結試料を入れたポリ袋またはモールドを安全に養生サイトまで運搬するための手段が必要である。特にポリ袋に未固結試料を充填した場合には、袋を破損したり、激しく動かさないように保護，固定することが必要である。
【０００８】
本考案は、一軸圧縮試験を行うのに適した外径５０mmの供試体を得るため、外径５０mmのポリ袋にセメントミルク又はソイルセメントの未固結試料を充填し、養生して供試体を作成する場合、前記ポリ袋の破損を防止して安全に養生サイトまで運搬できる収納ユニット及びこれらの収納ユニットを一軸圧縮試験を行なうのに必要な数量を一度に搬送できる搬送用容器を提供することを目的とするものである。
【課題を解決するための手段】
【０００９】
上記の目的を達成するため、本願の請求項１に係る考案は、掘削孔内から採取したセメントミルク又はソイルセメントの未固結試料を収納するための収納ユニットであって、前記未固結試料を入れた外径５０mmのポリ袋を吊り下げた状態で収納する内径が５０mmよりやや大きな径の円筒体と、前記未固結試料を入れたポリ袋をその上端部で固定して前記円筒体の中空部に吊り下げるための前記円筒体の上方開口部に設置するフックとで構成され、前記フックを前記円筒体の上方開口部に着脱自在に設置したことを特徴とする未固結試料の収納ユニットである。
【００１０】
また、本願の請求項２に係る考案は、前記フックが前記円筒体の上方開口部に橋し渡し状態で設置される棒状体であり、前記棒状のフックの両端部近傍を前記円筒体の上方開口部にあって直径方向の対向する位置に形成した凹部にそれぞれ嵌合させることにより、前記フックを前記円筒体の上方開口部に位置決めして設置する構成としたことを特徴とする。
【００１１】
そして、本願の請求項３に係る考案は、前記フックがその両端部にネジ部を備え、前記円筒体の前記凹部に嵌合によって設置した前記フックの雄ねじ部にそれぞれ前記円筒体の外周側から嵌めたナットのナット締めにより、前記フックを前記円筒体の上方開口部に固定する構成としたことを特徴とする。
【００１２】
更に、本願の請求項４に係る考案は、未固結試料の収納ユニットを複数本収納し、所望場所まで搬送するための容器であって、上方が開口する有底の容器と、前記容器の底部から所望の高さ位置に水平に設置した支持版と、前記支持版に形成した前記収納ユニットの外径よりやや大きな径の複数の貫通孔とから構成され、前記貫通孔内に前記未固結試料の収納ユニットを上方開口から挿通することで、前記未固結試料の収納ユニットを前記支持版を介して前記容器内に固定状態で収納するように形成したことを特徴とする未固結試料収納ユニットの搬送用容器である。
【００１３】
そして更に、本願の請求項５に係る考案は、掘削孔内から採取したセメントミルク又はソイルセメントの未固結試料を充填した外径５０mmのポリ袋の搬送用容器であって、容器本体とその開口部に設置するキャップから構成され、前記容器本体の内部に設置した発泡ポリスチレン製のブロックに前記未固結試料の充填ポリ袋を吊り下げた状態で収納する内径が５０mmよりやや大きな径の円形縦孔を、前記キャップに前記円形縦孔の位置に合わせて同じ内径の円形孔をそれぞれ形成し、前記円形孔の開口部に、前記未固結試料の充填ポリ袋をその上端部で固定して前記容器本体の前記円形縦孔内に吊り下げて収納するためのフックを着脱自在となるように設置したことを特徴とする未固結試料充填ポリ袋の搬送用容器である。
【００１４】
また、本願の請求項６に係る考案は、前記フックが前記キャップの円形孔の上方開口部に橋し渡し状態で設置される棒状体であり、前記棒状のフックを前記円形孔の直径方向の対向位置に形成した凹部にそれぞれ嵌合させることにより、前記フックを前記円径孔の上方開口部に位置決めして設置する構成としたことを特徴とする。
【考案の効果】
【００１５】
上記請求項１乃至３に係る考案の未固結試料の収納ユニットは、セメントミルク又はソイルセメントの前記未固結試料を入れたポリ袋が前記円筒体の中空部に吊り下げられた状態で収納されるので、前記ポリ袋の破損が防止され、安全に前記未固結試料を養生サイトまで運搬することができる。
【００１６】
また、ポリ袋に詰められて製作されたセメントミルク又はソイルセメントの供試体は、前記円筒体の上方開口部に着脱自在に設置したフックを握り、フックごと上方に持ち上げて前記円筒体から引き抜く簡単な作業で得られるため、養生によって得られる供試体の製作工程が簡略化されるとゝもに、円筒体とフックとポリ袋といった少ない部品構成であるため廉価に製作できる。
【００１７】
また、本願の請求項４に係る考案は、上記請求項１乃至３に係る未固結試料の収納ユニットの搬送用容器であって、上方が開口する有底の容器内に水平な支持版を設置し、該支持版に形成した複数の貫通孔内に前記未固結試料の収納ユニットを挿通して収納する構成としたので、未固結試料を入れた前記の各収納ユニットはそれぞれ前記支持版を介して容器内に支持・固定される。したがって、容器内の各収納ユニットは安全に養生サイトまで運搬できることに加え、試験に必要な本数の未固結試料を同時に運搬できる。
【００１８】
そして、本願の請求項５に係る考案は、掘削孔内から採取したセメントミルク又はソイルセメントの未固結試料を充填したポリ袋の搬送用容器であって、前記未固結試料を充填した未固結試料ポリ袋を直接、容器本体内に設置した発泡ポリスチレン製ブロックの円形縦孔内に、前記容器本体の開口部に設置する前記キャップの前記円形縦孔の位置に合わせて形成した円形孔から、該円形孔の開口部に着脱自在となるように設置したフックに吊り下げて挿入し収納する構成であるから、未固結試料ポリ袋は容器本体内の発泡ポリスチレン製ブロックによって防護される。したがって、未固結試料ポリ袋の破損に対する安全性がより確実に確保されるとゝもに、試験に必要な本数の未固結試料を同時に運搬できる。
【００１９】
そして更に、本願の請求項６に係る考案は、前記フックが前記キャップに形成した円形孔の上方開口部に橋し渡し状態で設置される棒状体であり、前記棒状のフックを前記円形孔の直径方向の対向位置に形成した凹部にそれぞれ嵌合させることにより、前記フックを前記円径孔の上方開口部に位置決めして設置する構成とした。このような構成を採用することで、未固結試料充填ポリ袋を搬送用容器内に挿入した際に、前記フックの両端部は前記凹部内に固定され、搬送用容器を搬送移動する際の衝撃等により抜け落ちる等の事故を確実に防止できる。
【考案を実施するための形態】
【００２０】
以下、本考案を図面に示す実施例により詳細に説明する。図１乃至図４において、１は埋込み杭工法において、掘削孔内から採取したセメントミルク又はソイルセメンの未固結試料Ｍを収納するための収納ユニットである。２は前記未固結試料Ｍを入れた外径が５０mmのポリ袋であり、３は前記未固結試料Ｍを入れた前記ポリ袋（以下、未固結試料充填ポリ袋と言う）２の開口部を縛り、そして前記未固結試料充填ポリ袋２を後述するフックに吊り下げるための吊り紐である。
【００２１】
４は内径が５０mmよりやや大きな径の円筒体で、前記外径が５０mmの未固結試料充填ポリ袋２をその内部空間に収納するためのものであり、５は前記円筒体４の上方開口部に橋渡した状態で横架する棒状のフックである。そして、前記棒状のフック５の中央に巻き回した前記吊り紐３により前記未固結試料充填ポリ袋２を吊り下げ、前記円筒体３の内部空間に吊り下げた状態で収納する。
【００２２】
６は前記円筒体４の上方開口部に形成した凹部で、直径方向の対向する個所に形成されており、前記円筒体４の上方開口部に橋渡した状態で横架する前記棒状のフック５は、その両端部近傍を前記凹部６，６内に嵌合させることで位置決めがなされる。７は前記棒状のフック５の両端部にそれぞれ形成した雄ねじ部で、該雄ねじ部７，７に前記円筒体４の外周面側からナット８，８を螺合させ、該ナット８を締め付けることで前記棒状のフック５は前記円筒体３の上方開口部に固定される。
【００２３】
９は前記収納ユニット１を養生サイトまで搬送する場合に使用する搬送用容器で、上方が開口する有底の箱状体で構成されており、前記搬送用容器９の底部９Ａから上方の開口部に向け次第に広がる周壁の所望の高さ位置に、前記容器９の内壁面９Ｂと摩擦的な係合により係止された支持版１０が水平に設置されている。なお、図示では、前記支持版１０は前記搬送用容器９の内部に一枚だけ設置した構成のものであるが、上下に離間して２〜３枚設置してもよい。１１は前記支持版１０に形成した貫通孔で、前記円筒体４を挿入できる大きさの内径とした円形孔であり、１２は前記搬送用容器９の外壁面に設置した把手である。
【００２４】
本考案に係る収納ユニット１の使用方法は、掘削孔内から採取したセメントミルク又はソイルセメンの未固結試料Ｍを充填したポリ袋２の開口部を吊り紐３で縛る。そして、前記吊り紐３のループ状部を前記棒状のフック５に通し、該フック５で吊った前記未固結試料充填ポリ袋２を前記円筒体４内に挿入する。
【００２５】
つぎに、前記円筒体４の上方開口部に橋渡した状態で横架した前記棒状のフック５を、その両端部近傍において前記凹部６，６内に嵌合させて位置決めをする。そして、前記棒状のフック５の両端部にそれぞれ形成した雄ねじ部７，７に前記円筒体４の外周面側からナット８，８を螺合させ、該ナット８を締め付けることで、前記棒状のフック５は前記円筒体３の上方開口部に固定され、該棒状のフック５に吊り下げられた前記未固結試料充填ポリ袋２は、図２に示す状態で前記円筒体４内に収納される。
【００２６】
そして、前記円筒体４内に前記未固結試料充填ポリ袋２を収納した各収納ユニット１を一本毎、養生サイトまで運搬するが、その際に、上方が開口する有底の前記搬送用容器９内に複数本の前記収納ユニット１を収納し、試験に必要な多数本の未固結試料を同時に且つ安全に運搬する。
【００２７】
すなわち、前記搬送用容器９内には複数の貫通孔１１を有する支持版１０が水平に固定した状態で設置されており、前記貫通孔１１内に前記未固結試料充ポリ袋２を収納した前記収納ユニット１を挿通して前記搬送用容器９内に収納する。これにより、前記収納ユニット１はそれぞれ前記支持版１０を介して搬送用容器１内に支持・固定され、安全に且つ試験に必要な本数の収納ユニット１を同時に運搬できる。
【００２８】
図５および図６に示すものは本考案の他の実施例で、上方が開口する容器本体２０の内部に発泡ポリエチレン製のブロック２１が設置されており、該発泡ポリエチレン製のブロック２１には、内径が５０mmより大きな径の円形縦孔２２が多数形成されている。２３は前記容器本体２０の開口部を閉じるキャップで、このキャップ２３には前記円形縦孔２２の位置に合わせて円形孔２４が形成されている。２５前記円形孔２４の上方開口部に橋渡した状態で横架する棒状のフックで、前記円形孔２４の対向する周縁に前記棒状のフック２５の両端部が落とし込まれる凹部２５，２５が形成されており、前記キャップ２３に対し着脱自在且つ抜け落ち不可となるように設置されている。
【００２９】
この未固結試料充填ポリ袋２の搬送用容器の使用方法は、前記容器本体２０に前記キャップ２３を被せ、掘削孔内から採取したセメントミルク又はソイルセメンの未固結試料Ｍを充填し、ポリ袋２の開口部を吊り紐３で縛る。そして、前記吊り紐３のループ状部を前記棒状のフック２５に通し、該フック２５で吊った前記未固結試料充填ポリ袋２をキャップ２３の円形孔２４から前記容器本体２０の円形縦孔２２内に挿入する。
【００３０】
これにより、前記未固結試料充填ポリ袋２は、前記発泡ポリエチレン製ブロック２１の円形縦孔２２を介して容器本体２０内に支持・固定され、安全に且つ試験に必要な本数の前記未固結試料充填ポリ袋２を同時に多数運搬できる。また、前記未固結試料充填ポリ袋２を搬送用容器２０から取り出す場合は、前記キャップ２３の前記円形孔２４にあってその上面開口部に橋渡しの状態で設置されている前記棒状のフック２５をつかみ、このフック２５を上方へ持ち上げる。これにより、前記フック２５に前記吊り紐３を介して吊り下げられている前記未固結試料充填ポリ袋２は前記円形縦孔２２，円形孔２４を通って前記キャップ２３の外に引き抜かれ、養生された供試体が得られる。
【図面の簡単な説明】
【００３１】
【図１】本考案に係る未固結試料の収納ユニットの全体斜視図である。
【図２】同収納ユニット内に未固結試料ポリ袋を収納した状態の断面図である。
【図３】同搬送用容器内に収納ユニットを設置した状態の平面図である。
【図４】同搬送用容器内に収納ユニットを設置した状態の断面図である。
【図５】容器本体とキャップからなる他の搬送用容器の全体斜視図である。
【図６】同容器の使用状態を示す縦断面図である。
【符号の説明】
【００３２】
１  収納ユニット
２  未固結試料充填ポリ袋
３  吊り紐
４  円筒体
５，２５  フック
６・２５  凹部
７  雄ねじ部
８  ナット
９  搬送用容器
９Ａ  底部
９Ｂ  内壁面
１０  支持板
１１  貫通孔
１２・２６  把手
２０  容器本体
２１  発泡ポリエチレン製ブロック
２２  円形縦孔
２３  キャップ
２４  円形孔
【図１】
0003195860.tif 000003
【図２】
0003195860.tif 000004
【図３】
0003195860.tif 000005
【図４】
0003195860.tif 000006
【図５】
0003195860.tif 000007
【図６】
0003195860.tif 000008